(57)【特許請求の範囲】
【請求項１】
用紙の端部を断裁する断裁手段を下部に備えた本体部と、
前記本体部を回動可能に支持する支持部と、を備え、
前記本体部は、
回動により、前記断裁手段の断裁刃を少なくとも側方から交換することができるように設けられ、
前記断裁手段により断裁される用紙の端部を当該本体部の下方に延出させて当該用紙の端部を当該本体部の下方に切り落とすことを特徴とする断裁機。
【請求項２】
前記断裁刃は、前記本体部が前記断裁手段を側方から交換することができるように回動した場合に刃が上向きになることを特徴とする請求項１に記載の断裁機。
【請求項３】
前記断裁手段は、互いに対向するよう設けられた二つの断裁刃を有し、前記本体部が第一の回動角度となった場合に一方の断裁刃が上向きになり、前記本体部が第二の回動角度となった場合に他方の断裁刃が上向きになるように設けられていることを特徴とする請求項２に記載の断裁機。
【請求項４】
前記第一の回動角度と前記第二の回動角度は、前記断裁手段が下部に位置する場合の前記本体部の回動角度に対してそれぞれ異なる方向に前記本体部を略９０度回動させた回動角度であることを特徴とする請求項３に記載の断裁機。
【請求項５】
前記支持部は、前記本体部の重心又は重心の近傍を通過する回動軸を介して前記本体部を回動可能に支持することを特徴とする請求項１から４のいずれか一項に記載の断裁機。
【請求項６】
用紙の端部を断裁する断裁手段を下部に備えた本体部と、
前記本体部を回動可能に支持する支持部と、を備え、
前記本体部は、回動により、前記断裁手段の断裁刃を少なくとも側方から交換することができるように設けられ、
前記支持部は、前記本体部の重心又は重心の近傍を通過する回動軸を介して前記本体部を回動可能に支持することを特徴とする断裁機。
【請求項７】
用紙に画像を形成する画像形成装置と、
請求項１から６のいずれか一項に記載の断裁機と、を備え、
前記断裁機は、前記画像形成装置により画像が形成された用紙の端部を断裁することを特徴とする画像形成システム。
【発明の詳細な説明】
【技術分野】
【０００１】
本発明は、断裁機及び画像形成システムに関する。
【背景技術】
【０００２】
画像形成装置により画像が形成された用紙を複数重畳させて冊子を生成するに際して、冊子の端部を一部切り落とす断裁処理が一般的に行われている。断裁処理により、冊子を構成する複数の用紙の縁を揃えることができる。
【０００３】
上記の断裁処理を行うための断裁機として、筐体の下方に設けられた断裁刃により冊子の端部を切り落とす断裁機が知られている（例えば、特許文献１、特許文献２等）。係る断裁機は、鉛直方向に沿って保持された冊子に対して水平方向に沿って設けられた断裁刃を当接させることにより冊子の端部を切り落とす。
【先行技術文献】
【特許文献】
【０００４】
【特許文献１】特開２００８−３０１３１号公報
【特許文献２】特開２００８−３０１４３号公報
【発明の概要】
【発明が解決しようとする課題】
【０００５】
ところで、断裁刃は、繰り返し使用することにより劣化を免れないことから、定期的に交換される。
しかしながら、従来の断裁機は、断裁刃が筐体の下方に設けられていることから、断裁機の上方や側方からの作業による断裁刃の交換が困難であった。具体的には、整備者が安全に断裁刃を交換するためには、断裁刃を視認したうえでの作業が不可欠であるが、従来の断裁機の断裁刃を視認しようとした場合、整備者は、底上げされた状態の断裁機の下方にもぐりこむ必要があり、作業性が悪かった。
【０００６】
本発明は、より容易に断裁刃を交換することができる断裁機及び画像形成システムを提供することを目的とする。
【課題を解決するための手段】
【０００７】
請求項１に記載の発明は、断裁機であって、用紙の端部を断裁する断裁手段を下部に備えた本体部と、前記本体部を回動可能に支持する支持部と、を備え、前記本体部は、回動により、前記断裁手段の断裁刃を少なくとも側方から交換することができるように設けられ、前記断裁手段により断裁される用紙の端部を当該本体部の下方に延出させて当該用紙の端部を当該本体部の下方に切り落とすことを特徴とする。
【０００８】
請求項２に記載の発明は、請求項１に記載の断裁機であって、前記断裁刃は、前記本体部が前記断裁手段を側方から交換することができるように回動した場合に刃が上向きになることを特徴とする。
【０００９】
請求項３に記載の発明は、請求項２に記載の断裁機であって、前記断裁手段は、互いに対向するよう設けられた二つの断裁刃を有し、前記本体部が第一の回動角度となった場合に一方の断裁刃が上向きになり、前記本体部が第二の回動角度となった場合に他方の断裁刃が上向きになるように設けられていることを特徴とする。
【００１０】
請求項４に記載の発明は、請求項３に記載の断裁機であって、前記第一の回動角度と前記第二の回動角度は、前記断裁手段が下部に位置する場合の前記本体部の回動角度に対してそれぞれ異なる方向に前記本体部を略９０度回動させた回動角度であることを特徴とする。
【００１１】
請求項５に記載の発明は、請求項１から４のいずれか一項に記載の断裁機であって、前記支持部は、前記本体部の重心又は重心の近傍を通過する回動軸を介して前記本体部を回動可能に支持することを特徴とする。
【００１２】
請求項６に記載の発明は、断裁機であって、用紙の端部を断裁する断裁手段を下部に備えた本体部と、前記本体部を回動可能に支持する支持部と、を備え、前記本体部は、回動により、前記断裁手段の断裁刃を少なくとも側方から交換することができるように設けられ、前記支持部は、前記本体部の重心又は重心の近傍を通過する回動軸を介して前記本体部を回動可能に支持することを特徴とする。
【００１３】
請求項７に記載の発明は、画像形成システムであって、用紙に画像を形成する画像形成装置と、請求項１から６のいずれか一項に記載の断裁機と、を備え、前記断裁機は、前記画像形成装置により画像が形成された用紙の端部を断裁することを特徴とする。
【発明の効果】
【００１４】
本発明によれば、より容易に断裁刃を交換することができる。
【図面の簡単な説明】
【００１５】
【図１】本発明の一実施形態である画像形成システムの主要構成を示す図である。
【図２】断裁機の斜視図である。
【図３】本体部が断裁部の断裁刃を側方に露出した第一の回動角度となった断裁機を示す斜視図である。
【図４】本体部が断裁部の断裁刃を側方に露出した第二の回動角度となった断裁機を示す斜視図である。
【図５】切断時の回動角度における本体部内の搬送部を示す斜視図である。
【図６】図５に示す状態から冊子を回転及び下方に移動させている搬送部を示す斜視図である。
【図７】小口断裁処理時の搬送部を示す斜視図である。
【図８】天地断裁処理時の搬送部を示す斜視図である。
【図９】断裁機の動作制御に係る主要構成を示すブロック図である。
【図１０】回動軸が本体部の重心付近に設けられた断裁機の斜視図である。
【発明を実施するための形態】
【００１６】
以下に、本発明の実施形態について図面を用いて説明する。ただし、以下に述べる実施形態には、本発明を実施するために技術的に好ましい種々の限定が付されているが、発明の範囲を以下の実施形態及び図示例に限定するものではない。
【００１７】
図１は、本発明の一実施形態である画像形成システム１の主要構成を示す図である。
画像形成システム１は、画像形成装置１０、用紙処理装置２０、搬送装置３０及び断裁機１００を有する。
【００１８】
画像形成装置１０は、用紙に画像を形成する。
具体的には、画像形成装置１０は、例えば、記録媒体として備蓄された用紙を用紙トレイから引き出して搬送する搬送部、ビットマップデータに応じたトナー像を転写ローラー等の一次転写部材に現像する現像部、一次転写部材に現像されたトナー像を転写ドラム等の二次転写部材に転写する一次転写部、二次転写部材に転写されたトナー像を搬送部により搬送される用紙に転写する二次転写部、転写されたトナー像を用紙に定着させる定着部、定着部による定着処理後の用紙を排出する排出部等を備え、用紙に画像を形成する。
また、画像形成装置１０は、画像が形成されて排出される用紙を用紙処理装置２０に受け渡す。
【００１９】
用紙処理装置２０は、画像形成装置１０により画像が形成された用紙から冊子を作成する。
具体的には、用紙処理装置２０は、例えば、画像形成装置から受け渡された複数の用紙にステープル処理を施して冊子とするステープル処理部、ステープル処理された冊子に表紙をつけて背表紙側を糊付けする糊付け処理部、冊子を排出する排出部等を備える。用紙処理装置２０は、画像形成装置１０から受け渡された用紙に対して、ステープル処理を施さずに排出することもできる。
なお、上記の用紙処理装置２０による冊子の作成方法は一例であって、これに限られるものでない。例えば、ステープル処理を省略し、用紙束の背表紙側を糊付けして表紙でくるむことにより冊子を作成してもよい。
【００２０】
搬送装置３０は、用紙処理装置２０から排出された冊子や用紙（以下「冊子等」と記載）を断裁機１００に搬送する。
具体的には、搬送装置３０は、例えば、図１に示すように、冊子等を所定方向に沿って搬送するベルトコンベアー機構３１や、水平方向に沿う状態でベルトコンベアー機構３１により搬送された冊子等の紙面を鉛直方向に沿うよう変位させて断裁機１００に受け渡す受け渡し部３２、受け渡し部３２による受け渡しが行われるまで冊子等を待機させる待機部３３等を有し、ベルトに冊子等を載置して搬送装置３０から断裁機１００に冊子等を搬送する。
【００２１】
断裁機１００は、冊子等の端部を断裁する断裁処理及び断裁処理に係る各種の処理を行う。
本実施形態による画像形成システム１は、用紙に画像を形成し、画像が形成された用紙を複数束ねて冊子とし、断裁機１００により冊子等の端部の断裁を行う画像形成システムである。
【００２２】
図２は、断裁機１００の斜視図である。
断裁機１００は、冊子等の端部を断裁する断裁部１２０、搬送装置３０により搬送された冊子等を保持して断裁部１２０に搬送する搬送部１４０等を有する本体部１１０と、本体部１１０を回動可能に支持する支持部１６０と、を備える。
【００２３】
本体部１１０は、回動により、下部に設けられた断裁部１２０の断裁刃１２１、１２２を少なくとも側方に露出可能に設けられている。
以下、本体部１１０の回動角度の変化に係る説明を行うに際して、図２に示す断裁機１００の本体部１１０の回動角度を基準として説明する。図２に示す本体部１１０の回動角度は、断裁部１２０により断裁される冊子等の端部を当該本体部１１０の下方に延出させて当該冊子等の端部を当該本体部の下方に切り落とす切断時の回動角度である。
図１、図２等に示すように、鉛直方向をＺ方向、水平方向のうち、断裁機１００に対して搬送装置３０のベルトコンベアー機構３１により冊子等が搬送される方向に沿う方向をＸ方向、Ｚ方向及びＸ方向に直交する方向をＹ方向とする。また、Ｘ方向のうち、断裁機１００に対して冊子等が搬送される側を前方、その反対側を後方とする。また、便宜上、Ｙ方向について右方、左方を定め、図２〜図４においてその対応関係を示す。
また、図２に示す本体部１１０の切断時の回動角度において、前方の側面を側面Ｘ１、後方の側面を側面Ｘ２とする。
【００２４】
図２に示すように、支持部１６０は、側面Ｘ１、Ｘ２及び底面１１２に直交する本体部１１０の側面に設けられた回動軸１１１を介して本体部１１０を回動可能に支持する。即ち、本体部１１０の回動中心軸は、Ｙ方向に沿う。
【００２５】
図３、図４は、本体部１１０が断裁部１２０の断裁刃１２１、１２２を側方に露出した回動角度となった断裁機１００を示す斜視図である。なお、図３、図４は互いに前後左右が逆転した角度からの斜視図である。
【００２６】
図３に示すように、本体部１１０は、側面Ｘ１を上方とするように回動することができる。本体部１１０は、側面Ｘ１を上方とした第一の回動角度の際に、断裁部１２０の断裁刃１２１、１２２を側方に露出した状態となる。
【００２７】
また、図４に示すように、本体部１１０は、側面Ｘ２を上方とするように回動することができる。本体部１１０は、側面Ｘ２を上方とした第二の回動角度の際にも、断裁部１２０の断裁刃１２１、１２２を側方に露出した状態となる。
【００２８】
図３、図４に示すように、本体部１１０の底面１１２は壁状の被服部材を有さず、開放されており、断裁部１２０の各部等、本体部１１０の内部の構成が露出している。
図３、図４に示すように、底面１１２を側方とするように本体部１１０を回動させることにより、底面１１２に対して断裁機１００の側方からアクセスすることができるようになる。よって、切断時の回動角度において本体部１１０の下部に設けられ、下方に位置することとなる断裁部１２０の断裁刃１２１、１２２の交換作業を、回動により側方に位置した底面１１２に対して断裁機の側方から行うことができる。
【００２９】
ここで、断裁部１２０について説明する。
断裁部１２０は、刃が互いに対向するよう設けられた二つの断裁刃１２１、１２２を有する。
【００３０】
断裁刃１２１、１２２はそれぞれ、長手方向がＹ方向に沿う板状の部材である。
具体的には、断裁刃１２１、１２２は、本体部１１０の底面１１２に沿うよう設けられた板状の部材である。即ち、断裁刃１２１、１２２は、図２に示す切断時の回動角度の際に水平方向（Ｘ−Ｙ平面）に沿い、図３、図４に示す回動角度の際にＹ−Ｚ平面に沿う。
【００３１】
断裁刃１２１、１２２のうち少なくとも一方（例えば、断裁刃１２１）は、長手方向に沿う一辺側が刃状となっている。また、断裁刃１２１、１２２は、長手方向に沿う他辺側が保持部１２３、１２４により保持されている。
保持部１２３、１２４はそれぞれ、断裁刃１２１、１２２を本体部１１０の底面１１２に沿わせるように断裁刃１２１、１２２の他端側を保持する。また、保持部１２３、１２４は、断裁刃１２１、１２２を互いに対向する状態で保持する。
【００３２】
保持部１２４は、本体部１１０の所定位置に固定されている。保持部１２４に保持された断裁刃１２２も、本体部１１０の所定位置に固定された状態となっている。
一方、保持部１２３は、断裁刃１２１を断裁刃１２２に対して近接又は離隔させるように移動可能に設けられている。
【００３３】
具体的には、本体部１１０の底面１１２には、底面１１２に沿い、かつ、互いに並行に設けられた角柱状の二の支持部材１２５、１２５が設けられている。保持部１２４は、二の支持部材１２５、１２５の間に介在するよう設けられており、これにより二の支持部材１２５、１２５と協働して底面１１２にＨ字状態の部材配置を形成している。
【００３４】
また、図３、図４に示すように、二の支持部材１２５、１２５は、側面Ｘ１及び側面Ｘ２に直交する方向に対して所定の傾斜角度を有するよう設けられている。
また、二の支持部材１２５、１２５の底面１１２側にはそれぞれガイドレール１２６、１２６が設けられている。ガイドレール１２６、１２６は、二の支持部材１２５、１２５の延設方向に沿うよう設けられ、底面１１２に沿う板状の保持部１２３と係合して移動をガイドする。即ち、保持部１２３は、ガイドレール１２６、１２６が設けられた二の支持部材１２５、１２５の延設方向に沿って移動する。
【００３５】
また、保持部１２３は、偏心カム１３１、１３２や偏心カム１３１、１３２と保持部１２３とを連結する連結部材１３３、１３４、偏心カム１３１、１３２を回転させる駆動部１３５等を有する断裁刃移動機構と連結されており、断裁刃移動機構の動作に応じてガイドレール１２６、１２６に沿って移動する。これにより、保持部１２３に保持された断裁刃１２１は、保持部１２４に保持された断裁刃１２２に対して近接又は離隔するように動作し、近接時に断裁刃１２１と断裁刃１２２とが摺動することにより断裁刃１２１と断裁刃１２２との間に挟まれた冊子等の端部を切り落とす。
【００３６】
なお、図３、図４に示す図では、本体部１１０の底面１１２が側方に位置していることにより断裁刃１２１、１２２が側方に面しているが、図２に示す切断時の回動角度の際には、底面１１２が下方に位置して水平方向に沿うことにより、断裁刃１２１、１２２も水平方向に沿うこととなり、断裁刃１２１の移動方向も水平方向となる。即ち、断裁部１２０は、本体部１１０が図２に示す切断時の回動角度である際に、冊子等の端部を断裁刃１２１、１２２の間から本体部１１０の下方に延出させて当該冊子等の端部を本体部１１０の下方に切り落とす。
【００３７】
ここで、図２に示すように、切断時の回動角度における本体部１１０の底面と支持部１６０との間には空間が設けられている。切断時の回動角度において、断裁部１２０により切り落とされた冊子等の端部は、当該空間を落下して支持部１６０上に載置される。即ち、支持部１６０は、廃棄される切り落とされた冊子等の端部を集積する機能を有する。
また、本体部１１０の底面と支持部１６０との間の空間は、図３、図４に示すように本体部１１０が切断時の回動角度に対して回動する際に本体部１１０の側面Ｘ１、Ｘ２の下方の端部と支持部１６０とが衝突することを防止する機能も有する。
【００３８】
断裁部１２０の断裁刃の交換は、断裁機１００の非動作時に行われる。即ち、断裁刃の交換が可能となる図３、図４に示す本体部の回動角度は、非動作時の回動角度である。
言い換えれば、本体部１１０は、切断時の回動角度と、断裁部１２０の断裁刃１２１、１２２を側方に露出させる非切断時の回動角度と、を切替可能に設けられている。
【００３９】
また、図３に示す第一の回動角度及び図４に示す第二の回動角度は、図２に示す切断時の回動角度に対してそれぞれ異なる方向に本体部１１０を略９０度回動させた回動角度である。
このように、断裁機１００は、本体部１１０が第一の回動角度となった場合に一方の断裁刃１２１が上向きになり、本体部１１０が第二の回動角度となった場合に他方の断裁刃１２２が上向きになるように設けられている。
【００４０】
なお、図示しないが、断裁機１００は、第一の回動角度及び第二の回動角度よりもさらに切断時の回動角度における本体部１１０の上部が下方に下降することがないように設けられている。具体的には、例えば、回動軸１１１が設けられた一方又は両方の側面に、当該側面から外側に突出した突出部が設けられており、本体部１１０が第一の回動角度又は第二の回動角度となった場合に突出部が支持部１６０と当接して本体部１１０を係止するように設けられている。突出部による本体部１１０の回動角度の保持は一例であってこれに限られるものでなく、これ以外の方法により第一の回動角度及び第二の回動角度が保持されてもよい。
【００４１】
図３に示す第一の回動角度の場合、断裁刃１２１は、断裁刃１２２に対して上方に位置し、刃が下向きの状態となる。一方、断裁刃１２２は、図３に示す第一の回動角度の際に断裁刃１２１に対して下方に位置し、上向きの状態となる。
一方、図４に示す回動角度の場合、断裁刃１２１は、断裁刃１２２に対して下方に位置し、刃が上向きの状態となる。一方、断裁刃１２２は、図４に示す回動角度の際に断裁刃１２１に対して上方に位置し、刃が下向きの状態となる。図４に示す第一の回動角度の際に下方に位置する断裁刃１２１を交換することで、より安全に断裁刃１２１、１２２を交換することができる。
このように、交換対象となる断裁刃に応じて本体部１１０の回動角度を使い分けることができ、より安全に断裁刃１２１、１２２を交換することができる。
【００４２】
次に、搬送部１４０について、図５〜図８を参照して説明する。
図５〜図８は、切断時の回動角度における本体部１１０内の搬送部１４０を示す斜視図である。
搬送部１４０は、搬送装置３０の受け渡し部３２から受け渡された冊子等を挟持する挟持部１４１、挟持部を回転可能に支持する回転部１４２、回転部１４２を直動可能に支持する直動部１４３等を備える。
【００４３】
挟持部１４１は、冊子等の表紙面に当接する面部を有する二つの挟持部材１４１ａ、１４１ｂの面部どうしの距離が変更可能に設けられており、二つの挟持部材１４１ａ、１４１ｂが近接又は離隔するように動作することで冊子等の厚みに応じた面部どうしの距離をとって冊子等を挟持する。なお、二つの挟持部材１４１ａ、１４１ｂの面部は、本体部１１０の側面Ｘ１、Ｘ２に沿う。即ち、挟持部１４１は、冊子等を側面Ｘ１、Ｘ２に沿う方向として挟持する。
【００４４】
回転部１４２は、挟持部１４１の挟持部材１４１ａを回転可能に軸支する。また、回転部１４２は、断裁機１００の制御部１８０（図９参照）の制御下で動作する回転駆動部１４２ａ（図９参照）を有する。回転部１４２は、回転駆動部１４２ａの駆動により挟持部１４１を回転させ、挟持部１４１を所定の回転角度で保持することにより、挟持部１４１により挟持された冊子等の回転角度を制御する。
また、回転部１４２は、本体部１１０内において底面１１２の面方向に対して直交する方向に沿って設けられたガイドレール１４３ａと係合し、ガイドレール１４３ａに沿って直動可能に設けられている。
【００４５】
直動部１４３は、ガイドレール１４３ａ、回転部１４２に固定された回転軸を中心に回転可能に設けられたプーリー１４３ｂ、ガイドレール１４３ａの延設方向について冊子等の搬入口１４５の反対側に設けられたプーリー１４３ｃ、プーリー１４３ｂ、１４３ｃ等を連結するベルト１４３ｄ、ベルト１４３ｄの駆動により回転部１４２をガイドレール１４３ａに沿って直動させる駆動部１４３ｅ等を有し、回転部１４２を直動させることにより、挟持部１４１に挟持された冊子等を搬入口１４５に対して直動させる。
【００４６】
図５〜図８に示すように、底面１１２側には搬入口１４５が設けられている。搬入口１４５は、断裁部１２０の断裁刃１２１と断裁刃１２２との間に位置するよう設けられており、搬送部１４０の各部は、搬送装置３０の受け渡し部３２から受け渡された冊子等を搬入口１４５に進入させて保持することにより冊子等を断裁刃１２１と断裁刃１２２との間で保持する。このとき、断裁部１２０により切り落とされる冊子等の端部は、本体部１１０の底面１１２から下方に延出された状態となる。この状態で断裁部１２０が動作し、断裁刃１２１が断裁刃１２２に近接するよう移動することにより、冊子等の端部が切り落とされて下落する。
【００４７】
搬送部１４０は、端部が切り落とされた断裁処理後の冊子等を搬入口１４５から遠ざけるよう直動させ、図示しない送り出し機構により、図２に示すように断裁処理後の冊子等を送り出す。
【００４８】
なお、断裁部１２０による断裁処理には、小口断裁処理と天地断裁処理とがある。小口断裁処理とは、冊子の端部のうち、背表紙と平行な冊子のページ端を切り落とす断裁処理である。天地断裁処理とは、冊子の端部のうち、背表紙に対して直交する冊子のページ端を切り落とす断裁処理である。背表紙に対して直交する冊子のページ端は二箇所あることから、天地断裁処理は、冊子等を回転させて２回行われる。
【００４９】
以下、断裁処理に伴い行われる搬送部１４０の動作について説明する
搬送部１４０は、まず、図５に示すように、搬送装置３０の受け渡し部３２から受け渡された冊子等を挟持部１４１により挟持する。このとき、冊子等は、背表紙が搬入口１４５側に向いている。
【００５０】
次に、搬送部１４０は、挟持部１４１を回転させながら回転部１４２を搬入口に向かって直動させる。これにより、図６に示すように、冊子等は向きを変えながら搬入口１４５に向かって搬送される。
【００５１】
小口断裁処理の場合、搬送部１４０は、図７に示すように、背表紙と平行な冊子のページ端を底面１１２側に向けて搬入口１４５に進入させる。
一方、天地断裁処理の場合、搬送部１４０は、図８に示すように、背表紙に対して直交する冊子のページ端を底面１１２側に向けて搬入口１４５に進入させる。
本実施形態では、小口断裁処理、天地断裁処理の順に端部の切り落としを行うが、一例であってこれに限られるものでない。
【００５２】
冊子でない用紙の場合、例えば、挟持部１４１の二つの挟持部材１４１ａ、１４１ｂの内側に位置する辺に平行する辺の端部が小口断裁処理により切り落とされ、二つの挟持部材１４１ａ、１４１ｂの内側に位置する辺に直交する二つの辺の端部が天地断裁処理により切り落とされる。
【００５３】
図９は、断裁機１００の動作制御に係る主要構成を示すブロック図である。
図９に示すように、断裁機１００は、各部の動作を制御する制御部１８０を有する。制御部１８０は、ＣＰＵ１８１、ＲＡＭ１８２、ＲＯＭ１８３等を有し、ＣＰＵ１８１がＲＯＭ１８３等の記憶装置から処理内容に応じたプログラムやデータ等を読み出して実行処理し、バス１９０を介して接続された駆動部１３５、回転駆動部１４２ａ、駆動部１４３ｅ等の各部の動作を制御する。
【００５４】
以上、本実施形態の画像形成システム１によれば、断裁機１００の本体部１１０が、回動により、断裁部１２０の断裁刃１２１、１２２を側方に露出可能に設けられているので、断裁刃１２１、１２２の交換作業を回動により側方に位置した断裁部１２０に対して断裁機１００の側方から行うことができ、より容易に断裁刃を交換することができる。
【００５５】
また、本体部１１０は、断裁部１２０により断裁される冊子等の端部を本体部１１０の下方に延出させて冊子等の端部を本体部１１０の下方に切り落とす切断時の回動角度と、断裁部１２０の断裁刃１２１、１２２を側方に露出させる非切断時の回動角度と、を切替可能に設けられているので、冊子等の端部の切断時に切り落とされた端部を落下させて断裁処理後の冊子等との分離を良好に行うことができる断裁機１００の断裁刃１２１、１２２の交換を非切断時に容易に行うことができる。
【００５６】
また、断裁部１２０は、刃が互いに対向するよう設けられた二つの断裁刃１２１、１２２を有し、本体部１１０は、非切断時の回動角度として、二つの断裁刃１２１、１２２の一方の断裁刃１２１の刃が上向きになる第一の回動角度と、他方の断裁刃１２２の刃が上向きになる第二の回動角度とを切替可能に設けられているので、交換対象とする断裁刃１２１、１２２のいずれかの刃が上向きになる回動角度を本体部１１０に取らせることにより、より安全に断裁刃１２１、１２２を交換することができる。
【００５７】
また、第一の回動角度と第二の回動角度は、切断時の回動角度に対してそれぞれ異なる方向に本体部を略９０度回動させた回動角度であるので、本体部１１０を回動させる方向を変えるだけで断裁刃１２１、１２２のいずれの刃を上向きにするかを切り替えることができる。
【００５８】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
例えば、上記の実施形態では、本体部１１０の回動軸１１１が底面１１２付近の位置となっているが、一例であってこれに限られるものでない。具体例としては、図１０に示すように、図２に示す例より上方に回動軸１１１を設けてもよい。ここで、支持部１６０は、本体部１１０の重心又は重心の近傍を通過する回動軸１１１を介して本体部１１０を回動可能に支持することにより、本体部１１０をより安定して支持することができると共に、本体部１１０の回動時においても回動角度の変化に応じた断裁機１００の重量バランスの変化がなくなることから、より安定した回動角度の変更を行うことができる。
【００６０】
また、上記の実施形態では、第一の回動角度と第二の回動角度の二つの非切断時の回動角度が設けられているが、一例であってこれに限られるものでなく、断裁刃１２１等の交換に際して断裁刃１２１が容易に視認可能となるように、断裁部１２０の断裁刃を少なくとも側方に露出させる回動角度が一つ以上設けられていればよい。例えば、切断時の回動角度に対して本体部を１８０度又は３６０度回転可能とし、断裁部１２０を上方に露出させられるようにしてもよい。
また、非切断時の回動角度は必ずしも切断時の回動角度に対して略９０度でなくともよく、断裁刃１２１、１２２等の交換作業を安全に実施可能な回動角度であればよい。また、第一の回動角度、第二の回動角度に限らず、本体部１１０に対して一つの回動方向について多段階に回動角度が変更可能に設けられていてもよい。これにより、整備者の身長等の各種条件に応じて交換作業が最も良好に行える回動角度とすることができる。また、多段階に限らず、無段階でもよく、この場合、所望の回動角度で本体部１１０を保持するための係止手段（例えば、本体部１１０の回動角度を保持するクラッチ機構等）が設けられていることが望ましい。
【００６１】
また、上記の実施形態では、二つの断裁刃１２１、１２２が設けられているが、一例であってこれに限られるものでなく、一つ以上の断裁刃により用紙の断裁を行うことができればよい。ここで、回動により本体部１１０が断裁部１２０を側方に露出するように回動した場合において、断裁刃が上向きになるようにすることにより、より安全に断裁刃の交換を行うことができる。
【００６２】
また、交換対象となる断裁刃は必ずしも刃が上向きである必要はなく、断裁刃の交換を行う整備者の安全が十分に確保されればよい。例えば、断裁刃にカバー部材を被せて交換するようにしてもよい。
【００６３】
また、上記の実施形態では、本体部１１０を支持部１６０に対して手動で回動させることが想定されているが、一例であってこれに限られるものでない。例えば、モーター等の動力により本体部１１０を回動させる構成としてもよい。また、手動で行う場合であっても、レバー等の操作により回動角度を切り替えられる機械的構成を設けてもよい。
【００６４】
また、上記の実施形態における画像形成システム１の各構成は一例であってこれに限られるものでない。例えば、断裁機１００が搬送装置３０の一部又は全部の構成を兼ね備えていてもよい。
【符号の説明】
【００６５】
１        画像形成システム
１０      画像形成装置
２０      用紙処理装置
３０      搬送装置
１００    断裁機
１１０    本体部
１１１    回動軸
１１２    底面
１２０    断裁部（断裁手段）
１２１    断裁刃
１２２    断裁刃
１２３    保持部
１２４    保持部
１２５    支持部材
１２６    ガイドレール
１３１、１３２    偏心カム
１３３、１３４    連結部材
１３５    駆動部
１４０    搬送部
１４５    搬入口
１６０    支持部
Ｘ１、Ｘ２    側面
【図１】
0005598494.tif 000002
【図２】
0005598494.tif 000003
【図３】
0005598494.tif 000004
【図４】
0005598494.tif 000005
【図５】
0005598494.tif 000006
【図６】
0005598494.tif 000007
【図７】
0005598494.tif 000008
【図８】
0005598494.tif 000009
【図９】
0005598494.tif 000010
【図１０】
0005598494.tif 000011